(57)【要約】【課題】プリプレスエリアに文書作成用支援情報を記録して文書作成を簡易化する。【解決手段】記録エリアのほかにプリプレスエリアを設け、ここに文書作成用支援情報の一部をプリプレスしておく。そして媒体識別情報をこのプリプレスエリアに追記する。文書を作成するときは支援情報の一部であるひな形（テンプレート）を使用して作成し、記録するときには媒体識別情報を用いて暗号化する。こうすることで、文書の作成が容易になり、また作成文書の秘匿性を図れる。【選択図】　　　　図１４
2004086953.tif 000002
【特許請求の範囲】
【請求項１】
記録可能なエリアと、情報がプリプレスされたプリプレスエリアとを有し、
上記プリプレスエリアには、文書作成のために使用されるプリプレスされた文書作成用支援情報と、追記されたデータ記録媒体固有の媒体情報がそれぞれ含まれることを特徴とするデータ記録媒体。
【請求項２】
上記データ記録媒体は、光ディスクであることを特徴とする請求項１記載のデータ記録媒体。
【請求項３】
上記データ記録媒体は、追記型のデータ媒体情報であることを特徴とする請求項２記載のデータ記録媒体。
【請求項４】
上記文書作成用支援情報は、文書作成のためのテンプレート情報と、このテンプレート情報を用いて文書を作成するための処理プログラムとで構成され、
そのうち文書作成のための上記処理プログラムが上記文書作成用支援情報としてプリプレスされたことを特徴とする請求項１記載のデータ記録媒体。
【請求項５】
上記文書作成用支援情報は、文書作成のためのテンプレート情報と、このテンプレート情報を用いて文書を作成するための処理プログラムとで構成され、
そのうち文書作成のための上記テンプレート情報が上記文書作成用支援情報としてプリプレスされたことを特徴とする請求項１記載のデータ記録媒体。
【請求項６】
記録可能なエリアと、情報がプリプレスされたプリプレスエリアとを有し、
文書作成のために使用されるプリプレスされた文書作成用支援情報と、追記されたデータ記録媒体固有の媒体情報が上記プリプレスエリアに記録されたデータ記録媒体に、作成文書を記録する文書記録方法であって、
上記文書作成用支援情報を用いて作成された文書情報が、上記記録可能なエリアに記録されることを特徴とする文書記録方法。
【請求項７】
上記データ記録媒体は、光ディスクであることを特徴とする請求項６記載の文書記録方法。
【請求項８】
上記データ記録媒体は、追記型のデータ媒体情報であることを特徴とする請求項６記載の文書記録方法。
【請求項９】
上記文書作成用支援情報が、文書作成のためのテンプレート情報と、このテンプレート情報を用いて文書を作成するための処理プログラムとで構成されるとき、
上記データ記録媒体にプリプレスされた文書作成用支援情報が、文書作成用の処理プログラムであるときには、この処理プログラムとダウンロードして取得した上記テンプレート情報を用いて文書を作成し、
作成した文書を上記記録可能なエリアに記録するようにしたことを特徴とする請求項６記載の文書記録方法。
【請求項１０】
上記データ記録媒体にプリプレスされた文書作成用支援情報が、文書作成のために使用するテンプレート情報であるときには、このテンプレート情報とダウンロードして取得した上記処理プログラム情報を用いて文書を作成し、
作成した文書情報を上記記録可能なエリアに記録するようにしたことを特徴とする請求項６記載の文書記録方法。
【請求項１１】
上記ダウンロードした処理プログラム又はテンプレート情報は、上記データ記録媒体を管理する管理用サーバに蓄積された処理プログラムかテンプレート情報であることを特徴とする請求項６記載の文書記録方法。
【請求項１２】
記録可能なエリアと、情報がプリプレスされたプリプレスエリアとを有し、
文書作成のために使用されるプリプレスされた文書作成用支援情報と、追記されたデータ記録媒体固有の媒体情報が上記プリプレスエリアに記録されたデータ記録媒体から、上記記録可能なエリアに記録された作成文書を再生する文書再生方法であって、
上記媒体識別情報を用いて上記作成文書を検索することを特徴とする文書再生方法。
【請求項１３】
上記作成文書が上記媒体識別情報を用いて暗号化されているときには、上記媒体識別情報を読み出した上で、この媒体識別情報を用いて上記作成文書を復号するようにしたことを特徴とする請求項１２記載の文書再生方法。
【請求項１４】
上記データ記録媒体は光ディスクであることを特徴とする請求項１２記載の文書再生方法。
【請求項１５】
上記データ記録媒体は、追記型のデータ媒体情報であることを特徴とする請求項１２記載の文書再生方法。
【請求項１６】
上記文書作成用支援情報が、文書作成のためのテンプレート情報と、このテンプレート情報を用いて文書を作成するための処理プログラムとで構成され、
上記データ記録媒体にプリプレスされた文書作成用支援情報が、文書作成用の処理プログラムであるときには、上記文書情報は、上記処理プログラムとダウンロードして取得した上記テンプレート情報を用いて作成された文書であることを特徴とする請求項１２記載の文書再生方法。
【請求項１７】
上記データ記録媒体にプリプレスされた文書作成用支援情報が、文書作成のために使用するテンプレート情報であるときには、上記文書は、上記テンプレート情報とダウンロードして取得した上記処理プログラムを用いて作成された文書であることを特徴とする請求項１２記載の文書再生方法。
【請求項１８】
上記ダウンロードした処理プログラム又はテンプレート情報は、上記データ記録媒体を管理する管理用サーバに蓄積された処理プログラムかテンプレート情報であることを特徴とする請求項１２記載の文書再生方法。
【請求項１９】
記録可能なエリアと、情報がプリプレスされたプリプレスエリアとを有し、
文書作成のために使用されるプリプレスされた文書作成用支援情報と、追記されたデータ記録媒体固有の媒体情報が上記プリプレスエリアに記録されたデータ記録媒体に対する文書記録システムであって、
通信回線によって結ばれた再生装置と、上記データ記録媒体に対する管理用サーバとを有し、
上記文書作成用支援情報が、文書作成のためのテンプレート情報と、このテンプレート情報を用いて文書を作成するための処理プログラムとで構成されるときで、
上記データ記録媒体にプリプレスされた文書作成用支援情報が、文書作成用の処理プログラムであるときには、上記管理用サーバよりダウンロードして取得した上記テンプレート情報と上記処理プログラムを用いて文書作成処理が行われると共に、作成されたこの文書情報が上記記録可能なエリアに記録されることを特徴とする文書記録システム。
【請求項２０】
上記データ記録媒体に記録された文書作成用支援情報が、文書作成のために使用するテンプレート情報であるときには、上記管理用サーバよりダウンロードして取得した上記処理プログラムと上記テンプレート情報を用いて文書作成処理を行うようにしたことを特徴とする請求項１９記載の文書記録システム。
【請求項２１】
作成した文書は上記媒体識別情報を用いて暗号化された上で、上記データ記録媒体に記録されることを特徴とする請求項１９記載の文書記録システム。
【請求項２２】
上記データ記録媒体は光ディスクであることを特徴とする請求項１９記載の文書記録システム。
【請求項２３】
上記データ記録媒体は、追記型のデータ媒体情報であることを特徴とする請求項１９記載の文書記録システム。
【発明の詳細な説明】
【０００１】
【発明の属する技術分野】
この発明は、データ記録媒体、文書記録方法、文書再生方法および文書記録システムに関する。詳しくは、データ記録媒体のプリプレスエリアに、プリプレスされた文書作成支援情報と共に、データ記録媒体固有の媒体識別情報を記録しておくことで、ユーザの誤操作による文書作成支援情報の消去を防止すると共に、この文書作成支援情報を利用して文書を簡単に作成できるようにしたものである。
【０００２】
【従来の技術】
パーソナルコンピュータを使用して文書を作成し、これを保存したり、プリントアウトしたり、あるいは外部に転送したりする場合には、通常このパーソナルコンピュータにインストールされた文書作成支援情報（文書作成支援ソフト）を使用して行う。ここに、文書とは最も広い意味で使用されるもので、本来の文書そのものの他に、図表や静止画など書面を作成する上で使用される各種の情報を含む。
【０００３】
ユーザはこの文書作成支援ソフトを利用して文書を作成するが、このとき企業間の取引書面のような場合には、複数の雛形つまり定型文（テンプレート情報）が存在するので、これらのテンプレート情報のうち必要なテンプレート情報を活用して文書を作成すると、効率的に文書を作成できる。テンプレート情報が予め備えられていないときには、ユーザ自らテンプレート情報を作成し、これをフロッピー（Ｒ）ディスクＦＤや内蔵メモリあるいは内蔵ディスク（ハードディスクＨＤ）などの記憶手段に保存しておくことで、次回からの文書作成のときに有効に活用できる。
【０００４】
したがって文書作成支援ソフトを、文書作成のための本来の処理プログラムの他に、上述したようなテンプレート情報を含むものとすれば、文書を作成するための支援ソフトとしては、テンプレート情報と文書作成用の処理プログラムを予めインストールすることになる。
【０００５】
このような文書作成支援ソフトは、上述したフロッピー（Ｒ）ディスクＦＤなどに保存する他に、近年脚光を浴びている光ディスクなどのディスク状記録媒体に保存することが考えられる。データ記録媒体をフロッピー（Ｒ）ディスクと同様な感覚で文書情報などを蓄積することが考えられるからである。
【０００６】
データ記録媒体としては、コンパクトディスク（ＣＤ）や、デジタル多用途ディスク（ＤＶＤ）などの記録可能なあるいは記録済みのデータ記録媒体などが考えられるが、そのうちユーザが情報を記録することを考慮すると、ＣＤ−Ｒ、ＣＤ−ＲＷ、ＤＶＤ−Ｒ、ＤＶＤ−ＲＷなどの追記型あるいは書き換え型が考えられ、特にこれらのうち安価に入手できる追記型のデータ記録媒体が対象となると推測される。
【０００７】
一方、このデータ記録媒体には、その記録媒体固有のユニークな媒体識別情報を含む媒体情報ＵＩＤを記録することが考えられている。この媒体情報を記録しておくことによって、その記録媒体が真正な記録媒体か、不正コピーされた記録媒体かを判別する識別子として使用することができるからである。
【０００８】
【発明が解決しようとする課題】
ところで、このような記録可能なエリアを有するデータ記録媒体に上述した文書作成支援ソフトを予め記録する場合には、情報を記録できるエリアにこの文書作成支援ソフトが記録されることになる。
【０００９】
しかし、そうすると、記録可能なエリアに記録されているものであるから、重ね書きや消去など誤った操作で、文書作成支援ソフト自体を消し去ることも考えられる。そうなると、せっかく記録しておいた文書作成支援ソフトが使用できなくなるおそれがある。
【００１０】
また、上述したようなデータ記録媒体は大量に生産されるものであるから、記録可能なエリアに文書作成支援ソフトを書き込むためには、情報を書き込むための新たな製作工程が必要になり、それによってデータ記録媒体自体のコストアップをもたらしてしまう。
【００１１】
そこで、この発明はこのような従来の課題を解決したものであって、記録可能なエリアの他に、爾後には再書き込みができないようなエリアを備えたデータ記録媒体を使用し、この新たなエリアに上述した文書作成支援ソフトなどの情報を予め媒体製作と同時に記録しておくことで、上述した問題を解決したデータ記録媒体、文書記録方法、文書再生方法および文書記録システムを提案するものである。
【００１２】
【課題を解決するための手段】
上述の課題を解決するため、請求項１に記載したこの発明に係るデータ記録媒体では、記録可能なエリアと、情報がプリプレスされたプリプレスエリアとを有し、
上記プリプレスエリアには、文書作成のために使用されるプリプレスされた文書作成用支援情報と、追記されたデータ記録媒体固有の媒体情報がそれぞれ含まれることを特徴とする。
【００１３】
請求項６に記載したこの発明に係る文書記録方法では、記録可能なエリアと、情報がプリプレスされたプリプレスエリアとを有し、
文書作成のために使用されるプリプレスされた文書作成用支援情報と、追記されたデータ記録媒体固有の媒体情報が上記プリプレスエリアに記録されたデータ記録媒体に、作成文書を記録する文書記録方法であって、
上記文書作成用支援情報を用いて作成された文書情報が、上記記録可能なエリアに記録されることを特徴とする。
【００１４】
請求項１２に記載したこの発明に係る文書再生方法では、記録可能なエリアと、情報がプリプレスされたプリプレスエリアとを有し、
文書作成のために使用されるプリプレスされた文書作成用支援情報と、追記されたデータ記録媒体固有の媒体情報が上記プリプレスエリアに記録されたデータ記録媒体から、上記記録可能なエリアに記録された作成文書を再生する文書再生方法であって、
上記媒体識別情報を用いて上記作成文書を検索することを特徴とする。
【００１５】
請求項１９に記載したこの発明に係る文書記録システムでは、記録可能なエリアと、情報がプリプレスされたプリプレスエリアとを有し、
文書作成のために使用されるプリプレスされた文書作成用支援情報と、追記されたデータ記録媒体固有の媒体情報が上記プリプレスエリアに記録されたデータ記録媒体に対する文書記録システムであって、
通信回線によって結ばれた再生装置と、上記データ記録媒体に対する管理用サーバとを有し、
上記文書作成用支援情報が、文書作成のためのテンプレート情報と、このテンプレート情報を用いて文書を作成するための処理プログラムとで構成されるときで、
上記データ記録媒体にプリプレスされた文書作成用支援情報が、文書作成用の処理プログラムであるときには、上記管理用サーバよりダウンロードして取得した上記テンプレート情報と上記処理プログラムを用いて文書作成処理が行われると共に、作成されたこの文書情報が上記記録可能なエリアに記録されることを特徴とする。
【００１６】
この発明では、記録可能なエリアの他に、情報がプリプレスされたプリプレスエリアを有するデータ記録媒体を使用する。したがってこのデータ記録媒体は追記型とＲＯＭタイプの記録済み型の媒体を併せ持ったデータ記録媒体となる。プリプレスエリアには文書作成支援ソフトなどの文書作成用支援情報が、媒体製造時に、記録可能なエリアに形成するグルーブ溝と同時にプリプレスされる。
【００１７】
プリプレスエリアにはこの他に、その媒体固有の媒体情報（ＵＩＤ）が高出力レーザなどを使用して追記される。プリプレスされた文書作成用支援情報および追記された媒体情報は何れも書き替えることができない。つまりプリプレスエリアは爾後再書き込みができないエリアである。データ記録媒体の記録可能なエリアは追記型エリアであって、記録が完了した後は再書き込みができない。
【００１８】
媒体情報としては、媒体固有の媒体識別情報そのもので構成されるか、これに加えて媒体の関連情報が付加されたものである。
【００１９】
文書作成用支援情報は、文書作成支援ソフトであって、単一若しくは複数の雛形文を持ったテンプレート情報と、文書作成のときに使用する処理プログラムで構成されるとき、その何れか一方の情報がプリプレスされる。ここに処理プログラムとは、周知のワード、一太郎（何れも商標名）などの日本語文書作成用ソフトのプログラムに相当する。テンプレート情報を利用して文書を作成するときには、文書作成用の処理プログラムをダウンロードして使用する。つまり、このテンプレート情報のみでは文書を作成できないようになっている。テンプレートを用いれば、それだけ能率よく文書を作成することができる。文書作成用支援情報として処理プログラムがプリプレスされているときには、テンプレート情報をダウンロードして文書が作成される。
【００２０】
文書を作成してこれを記録エリアに記録するときには、媒体情報をその一部に記録することができる。媒体情報を記録しておくことで、媒体情報に基づいて文書を検索できるからである。
【００２１】
また、この媒体情報のうち媒体識別情報として複数桁（複数ビット長）のシリアル番号を使用するときには、この媒体情報を暗号化の鍵情報（例えば秘密鍵方式の鍵情報）として使用することができる。作成した文書をこの媒体情報を用いて暗号化し、その暗号文が記録エリアに記録される。こうすると、媒体情報を知らない限り、この暗号文をコピーしてもこれを復号できないので、記録文書の秘匿性を高めることができる。媒体情報は読み出すことはできるものの、ユーザでも知り得ない（認識し得ない）情報であるからである。
【００２２】
媒体情報に関連情報が付加されているときは、この関連情報としてはレーベル名（媒体制作者名）、媒体製造者名、アーティスト名、アーティストの簡単なプロフィールなどが考えられる。さらに、特定のサービス（音楽、画像、ソフトなど）を享受するための有料、無料の番号などが考えられる。
【００２３】
【発明の実施の形態】
続いて、この発明に係るデータ記録媒体を始めとして、文書記録方法などの一実施形態を図面を参照して詳細に説明する。
【００２４】
図１はこの発明に係るデータ記録媒体１０であって、ディスク状のデータ記録媒体の実施の形態を示す。この記録媒体１０は、記録可能なエリア１とその内周側に設けられたプリプレスエリア２とで構成され、記録エリア１は、ディスクの最外周側より内周側に向かって、リードアウトエリア１ａ、プログラムエリア１ｂ、リードインエリア１ｃおよびパワーキャリブレーションを行うエリア（ＰＣＡエリア）を含むプログラムメモリエリア（ＰＭＡエリア）１ｄとで構成されている。
【００２５】
記録エリア１の内周側には中間層で仕切られた分離エリア３を介してプリプレスエリア２が設けられる。プリプレスエリア２はプリプレス用のプログラムエリア２ｂを有し、このプログラムエリア２ｂに対しその外周側にプログラムエリア２ｂに対するリードアウトエリア２ａと、その内周側に配置されたプログラムエリア２ｂに対するリードインエリア２ｃとで構成されている。
【００２６】
データ記録媒体１０のうち記録エリア１を構成するプログラムエリア１ｂは、一度だけ情報を記録することができ、コンプリート処理を行うことで再書き込みができないような構造となされ、またプリプレスエリア２は情報がプリプレスされており、爾後再書き込みができないような構造となされているので、このデータ記録媒体１０は追記型とＲＯＭ型を併せ持った記録媒体に分類できる。記録エリア１として何度でも書き込みができる書き込み型の構造とすることもできる。
【００２７】
記録エリア１には文書その他の作成された情報が記録される。プリプレスエリア２、特にそのプログラムエリア２ｂには文書作成用支援情報がプリプレスされており、さらにこのプリプレスエリア２の何れかのエリア２ａ、２ｂ、２ｃには工場出荷前にその媒体固有の情報として機能する媒体情報が追記される。
【００２８】
図２は記録エリア１の断面図の一例であって、これはディスク直径方向に沿って断面したものであり、ポリカーボネートなどを使用した透明基板６の上面がグルーブ溝６ａとなるようにプリプレスされており、このグルーブ溝６ａを覆うように所定の色素層で構成された記録層７が形成されている。その上面には金などの反射層８を介して保護層９が被着されて記録エリア１が構成される。基板６の下面側よりレーザ光を照射することでピット（情報）をグルーブ溝６ａの底部若しくは頂部に記録することができる。
【００２９】
図３はプリプレスエリア２の断面図の一例であって、これは記録媒体の回転方向に沿って断面したものであり、同じくポリカーボネートなどを使用した透明基板６の上面がグルーブ溝６ａのプリプレスと同時に、上述した文書作成用支援情報（ピット情報）がプリプレスされて記録される。
【００３０】
このプリプレスによるデータエリアの上面はアルミなどの反射層８が被着され、その上面は保護層９で覆われる。したがって図２に示す記録エリア１と相違するのは記録層７の有無である。
【００３１】
プリプレスによるデータエリアの一部を使用して媒体情報（ピット情報）が追記される。具体的にはデータエリアに存在する冗長部分を利用して媒体情報を追記するか、文書作成用支援情報を書き込むためのエリアを予め用意しておき、この残余の部分に追記する。追記は後述するように、高出力レーザを使用して行うもので、基板６と反射層８の界面か、反射層８が熱的に変形することで情報が記録される。高出力レーザが照射された部分を便宜的にダブルハッチングで示す。
【００３２】
さて、媒体情報とは、上述したようにその媒体固有の媒体識別情報か、これに媒体の関連情報を付加したもので、図４はその後者を例示する。関連情報の最後にはエラー訂正符号（ＥＣＣなど）が付加される。
【００３３】
媒体識別情報は所定桁（ビット長）のシリアル番号などが使用される。媒体識別情報として、３２ビット長程度用意すれば十分である。関連情報とは、レーベル名（媒体制作者名）、媒体製造者名、アーティスト名、アーティストの簡単なプロフィールなどが考えられる。さらに、特定のサービス（音楽、画像、ソフトなど）を享受するための有料、無料の番号などが考えられる。
【００３４】
上述した文書作成用支援情報とは、文書作成支援ソフトのことであり、文書作成用の処理プログラムと、文書作成のために使用される雛形としてのテンプレート情報（定型文）を含む概念である。処理プログラムは、ワード、エクセル、一太郎など周知の日本語文書作成用プログラムを総称するもので、テンプレート情報してはビジネス文書、私文書を作成するときに使用される典型的なテンプレート情報が含まれる。
【００３５】
図５は、会社間で取り引きされるビジネス文書としてファックス文書の送信状の雛形で、「ｘ」印以外は用意されている文書をそのまま流用できるから、文書作成の時間を大幅に短縮できる利点がある。このようなテンプレート情報がピット情報としてプリプレスエリア２に記録されている。
【００３６】
このテンプレート情報は製造されるデータ記録媒体の全てに対して共通の情報であるので、記録エリア１のプリプレス処理と同じ工程で、同時に大量に作製できる。
【００３７】
文書作成用支援情報が、テンプレート情報と文書作成用の処理プログラムとで構成されるとき、テンプレート情報と処理プログラムの双方をプリプレスエリア２にプリプレスすることも考えられるが、そうするとプリプレスすべき情報量が多くなってしまうおそれがある。適当な情報量に制限するには、テンプレート情報と文書作成用の処理プログラムの何れかをプリプレス情報として使用すればよい。
【００３８】
例えば、テンプレート情報をプリプレス情報としたときには、このテンプレート情報を利用して文書を作成するときには何らかの手段で、処理プログラムを取得しなければならない。例えばデータ記録媒体を管理する管理機関例えば管理用サーバがＷｅｂサイトに用意されているようなときには、この管理用サーバに処理プログラムを用意しておき、必要なときこの管理用サーバにアクセスして処理プログラムを取得することで、テンプレート情報を利用した文書作成が可能になる。この処理プログラム取得時に上述した媒体情報ＵＩＤがユーザＩＤの１つとして利用される。
【００３９】
また、文書作成用の処理プログラムがプリプレス情報であるときには、管理用サーバ側に対応するテンプレート情報を用意しておき、ユーザは必要なテンプレート情報のみを取得して文書を作成することができる。
【００４０】
そのため、このデータ記録媒体を使用するときには、情報サービスシステムとして上述した管理用サーバを含めた文書記録システムを構築すれば、簡単に必要な情報を入手できるので非常に便利である。
【００４１】
続いて、この発明に係る文書記録システムとしても利用することができる情報サービスシステムの実施の形態を図６以下を参照して説明する。
【００４２】
この発明にかかる文書記録システムを包含する情報サービスシステムは図６に示すように、サービスを受けるべき情報端末装置１２と、文書作成用支援情報などのサービスコンテンツを蓄積した媒体情報管理用サーバ（Ｗｅｂサイト）１６とがインターネットなどの通信回線網１４を介して連結されて構築される。そして、情報端末装置１２側で読み出した媒体情報ＵＩＤを管理用サーバ１６側に転送することで、その媒体情報ＵＩＤが認証されれば、対応する文書作成用支援情報がユーザに提供される。
【００４３】
情報端末装置１２は、上述したデータ記録媒体に対する記録再生手段とデータの送受信手段がそれぞれ設けられ、データ記録媒体である光ディスク１０に対してテンプレート情報を利用した文書の記録再生処理と、光ディスク１０に記録された媒体情報ＵＩＤを読み出し、読み出した媒体情報ＵＩＤを用いて文書作成用支援情報の一方を受けとるための装置である。
【００４４】
図７はこの情報端末装置１２の実施の形態を示すもので、上述したように光ディスク１０に対する記録再生手段として機能する情報記録再生装置４０を有する。この情報端末装置１２には装置全体の制御を司るＣＰＵからなる制御部２０を始めとして、各種データを記録し保存するための記憶手段、この例ではハードディスクからなる記憶手段２１と、外部とのデータ授受を行うデータ送受信手段（通信インタフェース）２２がバス２５に連結されている。さらに、ＬＣＤなどの表示部２３や、文書作成用のキーボードなどからなる入力手段２４がそれぞれバス２５を介して相互に連結されている。
【００４５】
この構成によって、光ディスク１０から媒体情報を含めたデータの再生処理を始めとして、光ディスク１０から読み出した媒体情報ＵＩＤを管理用サーバ１６側に送り、必要な情報を取得する外部とのデータ授受処理、さらには文書作成用支援情報などの受信したデータに対する記憶処理などを実現している。制御部２０にはこれらの処理を実現するために必要な処理プログラムを格納したＲＯＭなどのメモリ手段（図示はしない）が内蔵されている。
【００４６】
図８は管理用サーバ１６側の実施の形態を示す。管理用サーバ１６はユーザからの媒体情報ＵＩＤを認証し、認証されたとき文書作成用支援情報などの指定されたサービスを提供できるように構成されると共に、媒体管理などを行うための処理を行っている。
【００４７】
そのため、図８に示すようにこの管理用サーバ１６は装置全体の制御を行うＣＰＵを有する制御部３１、文書作成用支援情報などのサービスコンテンツを蓄積したデータベース３２、光ディスク固有の媒体情報ＵＩＤなどの各種管理情報を蓄積した管理用データベース３３が設けられる。これらの他に、制御部３１がバス３７によって連結された外部とのデータ授受を行う送受信手段（通信インタフェース）３４、媒体情報ＵＩＤなどの情報を表示するＬＣＤなどからなる表示部３５および情報入力などのときに使用するキーボードやマウスなどの入力手段３６などで構成される。制御部３１にはこれらの処理を実現するために必要な処理プログラムを格納したＲＯＭなどのメモリ手段（図示はしない）が内蔵されている。
【００４８】
図９は情報記録再生装置４０のうち情報記録部４０Ｒの実施の形態を示す要部の系統図であって、制御部２０からの制御信号によってサーボコントローラ５２が制御されることで、スピンドルモータ５３が回転して、光ディスク１０は線速度が一定となされた状態で、光ディスク１０からの記録情報が光ピックアップユニット４１によって読み取られる。読み取られた光信号はユニット内部で電気信号に変換された状態でＲＦアンプ４２を介して復調器４３に供給されて、情報の復調（ＥＭＦ復調）が行われる。復調出力のうち記録エリア１のリードインエリア１ｃおよびプリプレスエリア２のリードインエリア２ｃにそれぞれに記録された情報はサブコードデコーダ４４に供給されてこれよりＴＯＣ情報（Ｔａｂｌｅ　ｏｆ　Ｃｏｎｔｅｎｔｓ）が読み出され、読み出されたＴＯＣ情報が制御部２０に供給されて媒体制御情報として利用される。
【００４９】
復調出力はさらにプリプレスエリア２に対するデコーダ４５にも供給されてこれよりプリプレスエリア２に記録された文書作成用支援情報と媒体情報がデコードされる。デコードされた文書作成用支援情報と媒体情報はそれぞれ制御部２０を介して第１のメモリ手段（ＲＡＭ）２８に保存される。媒体情報ＵＩＤはさらに媒体情報抽出手段４６にも供給されて媒体情報が抽出され、この媒体情報は必要に応じて暗号化手段４７に供給される。
【００５０】
なお、この実施の形態ではテンプレート情報が文書作成用支援情報としてプリプレスされているとものとする。
【００５１】
さて、光ディスク１０に記録された文書作成用支援情報を利用して文書を作成するに当たっては、光ディスク１０に記録された文書作成用支援情報以外の支援情報を管理用サーバ１６側より取得する必要がある。そのためには、管理用サーバ１６に対するアクセス処理を行って、文書作成用の処理プログラムを取得する。取得した処理プログラムは第１のメモリ手段２８に保存される。
【００５２】
このテンプレート情報と処理プログラムを使用して特定の文書が作成され、作成途中の文書情報（１，０信号）は一時的に第２のメモリ手段（ＲＡＭ）２９に保存される。作成が完成した文書は第２のメモリ手段２９より読み出されて上述した暗号化手段４７か若しくはスイッチング手段４８に供給される。秘匿性の低い文書では暗号化する必要がないからである。
【００５３】
暗号化手段４７では光ディスク１０より読み出した媒体情報、特に媒体識別情報を用いて作成文書が暗号化される。暗号化手段４７を利用するときには、制御部２０で切り替え制御手段６０が制御されてスイッチング手段４８は破線図示のように制御され、暗号化された文書が選択される。
【００５４】
暗号化された文書はエラー訂正符号化回路４９でエラー訂正のための符号化処理が施され、その後ＥＦＭ変調手段５０に供給されて８−１４変調が施された後、記録回路５１を介して光ピックアップ手段４１が制御されて、所定の文書が記録エリア１に記録される。なお、ファイナライズ処理がなされるまでは、この記録エリア１に情報を記録することができることは、追記型の媒体と同じである。
【００５５】
光ディスク１０にプリプレスされた文書作成用支援情報が処理プログラムであるときには、管理用サーバ１６から特定の、若しくは全てのテンプレート情報がダウンロードされて第１のメモリ手段２８に保存され、ダウンロードしたうちの必要なテンプレート情報と上述した処理プログラムを用いて文書の作成処理が行われ、同様に場合によっては暗号化して記録エリア１に記録される。
【００５６】
なお、暗号化しないで文書を記録するときには、この文書の一部に媒体情報を挿入した状態で記録することができる。この場合には図示はしないが、スイッチング手段４８の前段であって、第２のメモリ手段２９より読み出した文書が供給される信号路上に媒体情報の挿入手段（図示はしない）を設けておけばよい。挿入位置には任意であるが、再生してもこれが印字されないように工夫することが必要である。媒体情報が判ると、媒体情報を利用して不正が行われる可能性が高いからである。媒体情報を挿入しておけば、光ディスク１０から文書を読み出すとき、この媒体情報に基づいて文書を簡単に検索できる。
【００５７】
図１０は情報記録再生装置４０のうち情報再生部４０Ｐの実施の形態を示す要部の系統図であって、その一部は情報記録部４０Ｒの構成と兼用できる。制御部２０からの制御信号によってサーボコントローラ５２が制御されることで、スピンドルモータ５３が回転して、光ディスク１０は線速度が一定となされた状態で、光ディスク１０からの記録情報が光ピックアップユニット４１によって読み取られる。読み取られた光信号はユニット内部で電気信号に変換された状態でＲＦアンプ４２を介して復調器４３に供給されて、情報の復調（ＥＦＭＦ復調）が行われる。復調出力はさらに後段のエラー訂正（ＣＩＲＣエラー訂正）および復号化回路５４において、エラー訂正処理および復号化処理が行われる。その後、ＣＤ−Ｒデコーダ５５に供給されてＣＤ−Ｒ形式の復調出力がデコードされる。
【００５８】
デコードされた信号が暗号化されているときは、切り替え手段５６を介して復号化手段５７によって復号化される。このとき使用される鍵情報は媒体情報、つまり媒体識別情報であって、これは後述するように第１のメモリ手段２８に保存された媒体情報が使用される。復号された文書は出力端子（ｏｕｔ）を介してプリンタ（図示はしない）に出力させるか、表示部２３上に表示する。もちろん、表示インタフェース６２を介して第２のメモリ手段２９に保存することもできる。
【００５９】
一方、ＥＦＭ復調された復調出力の一部はさらにサブコードデコーダ４４に供給されて、復調出力よりＴＯＣ情報が抽出され、抽出されたＴＯＣ情報はディスク管理を行うためＣＰＵで構成された制御部２０およびバス２５を介して第１のメモリ手段（ＲＡＭ）２８に保存される。
【００６０】
復調出力はさらにプリプレスエリア用デコーダ４５にも供給され、プリプレスされた文書作成用支援情報と、追記された媒体情報ＵＩＤの双方がインタフェース６１を介して第１のメモリ手段２８に保存される。媒体情報は制御情報として制御部２０に供給することもできる。この第１のメモリ手段２８に保存された媒体情報ＵＩＤを利用して、上述したように暗号化された文書の復号処理が行われる。
【００６１】
さて、図６に示すような文書記録システムを含む情報サービスシステムを構築したときの各種処理例を図１１以下を参照して説明する。
【００６２】
図１１はこの情報サービスシステム全体の処理を説明する概略図（フローチャート）であって、媒体情報端末装置１２側では光ディスク１０を再生して追記した媒体情報ＵＩＤを取得する。この媒体情報ＵＩＤは第１のメモリ手段２８に保存される。
【００６３】
次に、ユーザが管理用サーバ１６へのアクセス処理を行う。このときユーザ認証を行う関係で、ユーザ側からは予め管理用サーバ１６との間で取り決めたパスワードＰＷを送信する。ユーザの認証が行われると、管理用サーバ１６側からはサーバ側が取り扱うメニュー情報（サービスメニュー）が送信され、ユーザ側ではこのサービスメニューが表示される。ユーザが媒体情報ＵＩＤのユーザ確認情報を使用したサブメニューを選択したときには、そのサブメニュー選択情報が管理用サーバ１６側に送信される。
【００６４】
管理用サーバ１６側では、既に送信し終えた媒体情報ＵＩＤが解析される。媒体識別情報あるいは関連情報を用いて、正規な媒体情報であるかどうかの認証処理を行う。不正コピーされた記録媒体からのアクセスなどを排除するためである。この場合の媒体管理情報はディスク製造元やディスク販売業者から提供された媒体固有の管理情報（媒体情報と同じ情報）が利用される。
【００６５】
その後の処理として、受信情報が文書作成用支援情報に関するものであるときには、文書作成用の処理プログラムか、テンプレート情報の何れかを判断して、要求された何れかの情報が送信される。情報端末装置２０側で受信した文書作成用支援情報を保存することで管理用サーバ１６側との通信が終了する。
【００６６】
情報端末装置１２側では、この文書作成用支援情報とプリプレスされた残りの文書作成用支援情報を利用して文書の作成処理および光ディスク１０への記録処理が実行される。
【００６７】
続いて、図１２以下を参照してより詳細に処理手順を説明する。説明の都合上、まず管理用サーバ１６側から図１２を参照して説明する。
【００６８】
図１２は管理用サーバ１６側での処理例を示すもので、管理用サーバ１６側ではまず光ディスク１０から読み出した媒体情報ＵＩＤと、予め定めておいたパスワードを受信し、受信したパスワードおよび媒体情報ＵＩＤと、管理用データベース３３に蓄積された管理情報との認証処理を行う（ステップ６５，６６）。この認証処理には、正規な媒体情報ＵＩＤであるかどうかを、媒体情報ＵＩＤに含まれるシリアル番号（媒体識別情報）を利用して行う判別処理も含まれる。
【００６９】
そして最終的に認証されなかったときには（ステップ６７）、ユーザに対して認証できなかった旨のメッセージを送信して処理プログラムを終了する（ステップ６８）。
【００７０】
なお、図示はしないが、最初のパスワードや媒体識別情報による認証処理では認証できなかったときには再送を要求し、再度の認証処理を行う。再度の認証処理でも媒体情報ＵＩＤを正規なものと判断できなかったときは、このサービス処理を中止する旨のメッセージを送信してサービス処理を終了することになる。
【００７１】
これに対して、認証された場合には、文書作成用支援情報としての文書作成用処理プログラム又はテンプレート情報の送信処理を、送信メッセージを付加して行う（ステップ６９）。上述したように、プリプレスされた文書作成用支援情報はテンプレート情報であるので、この場合には文書作成用の処理プログラムが送信される。プリプレスされた文書作成用支援情報が文書作成用処理プログラムであるときには、テンプレート情報が送信されることになる。この送信処理によって媒体情報ＵＩＤを受信してからの文書作成用支援情報の送信処理が完結する。
【００７２】
図１３は、受信した文書作成用支援情報を利用して情報端末装置１２側で行う文書作成処理例を示すものである。
まず、文書作成メニューが選択され、文書作成メニューが選択されると、光ディスク１０が再生モードに遷移し、この光ディスク１０から媒体情報ＵＩＤとプリプレスされた文書作成用支援情報を読み出してこれらを第１のメモリ手段２８に保存する（ステップ７１，７２）。この保存処理と同時に、図示はしないが、上述した管理用サーバ１６側へのパスワードと媒体情報の送信処理が行われる。
【００７３】
続いて、管理用サーバ１６側より取得した文書作成用支援情報を用いて文書作成処理を行う（ステップ７３）。プリプレスされた文書作成用支援情報がテンプレート情報であるので、この場合にはダウンロードした文書作成用処理プログラムとテンプレート情報を用いて文書の作成処理が行われることになる。プリプレスされた文書作成用支援情報が文書作成用処理プログラムであるときには、テンプレート情報がダウンロードされているので、この場合においてもこのテンプレート情報と文書作成用処理プログラムを用いて文書の作成処理が行われることになる。
【００７４】
作成された文書には、媒体情報ＵＩＤのうち特に媒体識別情報が挿入された状態で記録エリア１に記録されて保存される（ステップ７４）。媒体情報ＵＩＤの挿入は任意であるが、媒体情報ＵＩＤを挿入することで、文書の検索が容易になる。なお、この段階でコンプリート処理を行ってもよいし、保留してもよい。
【００７５】
図１４は作成した文書を暗号化するときに使用される処理例である。暗号化処理の場合においても、図１３に示すステップ７１から７３までと同じ処理が実行される（ステップ８１〜８３）。次に、作成した文書を媒体情報ＵＩＤのうち媒体識別情報を用いて暗号化する（ステップ８４）。そして暗号化した文書が記録エリア１に記録されて保存される（ステップ８５）。以上で、暗号化を伴う文書作成処理が終了する。
【００７６】
図１５は文書再生処理例を示すもので、情報端末装置１２が再生モードにセットされることで、光ディスク１０から情報の読み出しが行われ、この例では媒体情報ＵＩＤと、指定した保存文書が順次読み出される（ステップ８７）。読み出された文書は表示部２３に表示されるが、保存文書が暗号化されているときには、読み出した媒体識別情報を用いて保存文書の復号化処理が行われた後、表示部２３に表示される（ステップ８８）。読み出された文書はファックスするなどの送信処理用にも使用されることは容易に理解できる。
【００７７】
上述したように、この発明に係るデータ記録媒体ではそのプリプレスエリア２にはプリプレスされた文書作成用支援情報が記録される他、媒体情報が追記される。媒体情報はプリプレスが終了した段階で高出力レーザを用いて追記処理される。
【００７８】
図１６は媒体情報記録装置を含む光ディスク作成システムの一例を示す。この光ディスク作成システムは、記録エリア１に記録するグルーブ溝と、プリプレスエリア２に記録する文書作成用支援情報を記録すべき情報データとし、この情報データの変調信号を生成して送出する変調信号送出装置１４０、変調信号に従って光ディスク原盤３２０を作成する光ディスク原盤記録装置であるレーザービーム・レコーダ６００、半製品の光ディスク３４０を成形する成形装置７００及び半製品の光ディスク３４０に追記を行なう追記装置２００から構成される。追記装置２００は上述した媒体情報をプリプレスエリア２に記録するための手段である。
【００７９】
変調信号送出装置１４０は、図示するように光ディスクに記録する情報データ（プリグルーブ信号と文書作成用支援情報信号）を読み込んで再生する記録情報再生手段１５０、再生された情報データのうち文書作成用支援情報信号のみを所定のフォーマットの変調信号データパターンに変換する変調情報生成手段１６０、変調信号データパターン情報およびプリグルーブ信号を記憶する変調情報記憶手段１７０及び変調信号を出力する変調信号出力手段１８０から構成される。
【００８０】
記録情報再生手段１５０は、マスターの光ディスク（ＣＤ−Ｒなど）３１０に記録されたプリグルーブ信号と文書再生用支援情報信号を再生し、変調情報生成手段１６０へ送る。
【００８１】
変調情報生成手段１６０は、再生された情報データのうち文書作成用支援情報信号を予め決められた所定のフォーマットの変調信号データパターンに変換し、生成された変調信号データパターンをグルーブ信号と共に変調情報記憶手段１７０に記憶する。変調信号データパターンは、所定のフォーマットにより変換された１／０のビットパターンにより構成される。また、変調時には必要に応じて、追記を行なうプリプレスエリア２のアドレス指定など、追記に関する追記関連情報４１０を参照する。
【００８２】
変調情報記憶手段１７０は、変調情報生成手段１６０により生成された変調信号データパターンを記憶する。変調信号出力手段１８０は、変調情報生成手段１６０の生成した変調信号データパターンおよびグルーブ信号をそれぞれ入力し、１／０のビットパターンを所定のクロックで出力することにより変調信号を生成し、レーザービーム・レコーダ６００へ出力する。
【００８３】
レーザービーム・レコーダ６００は、変調信号送出装置１４０から入力する変調信号に基づいてレーザー光を照射して、図１に示す層構造を有する光ディスク原盤３２０にカッティングを施し、情報データを記録する。この光ディスク原盤３２０に基づき、スタンパー３３０が製作される。
【００８４】
成形装置７００は、このスタンパー３３０を用いて情報データであるグルーブ溝と文書作成用支援情報（ピット情報）がそれぞれプリプレスされた半製品の光ディスク３４０を複製する。複製された光ディスク３４０には上述した記録層７等を形成する処理が施される。
【００８５】
追記装置２００は、追記関連情報４１０あるいは文書作成用支援情報信号に基づいて作成された変調信号データパターンを記憶する変調情報記憶手段２１０、追記の制御を行なう追記制御手段２２０及び追記制御手段２２０に従って半製品の光ディスク３４０に追記を施す追記手段２３０から構成される。
【００８６】
変調情報記憶手段２１０は、変調信号送出装置１４０の用いた追記関連情報４１０、あるいは変調信号送出装置１４０により生成された変調信号データパターンを記憶する記憶手段である。追記制御手段２２０は、追記関連情報４１０あるいは変調信号データパターンに基づいて、追記情報４２０を記録するプリプレスエリア２内の記録領域（データ領域）を算出するとともに、この記録領域にメモリ手段に記憶された追記情報４２０を追記する制御を行なう。追記情報は、上述した媒体識別情報を含めた媒体情報である。
【００８７】
追記手段２３０は、高出力のレーザ（図示はしない）を装備し、追記制御手段２２０に従って、半製品の光ディスク３４０に、メモリ手段に格納された光ディスク固有の媒体情報である追記情報４２０を高出力レーザを用いて記録し、追記情報４２０が記録された製品の光ディスク３５０を生成する。この光ディスク３５０が上述した媒体情報ＵＩＤが記録されたデータ記録媒体１０である。
グルーブ溝と文書作成用支援情報のプリプレス方法は上述した例に限られるものではない。
【００８８】
【発明の効果】
以上説明したように、この発明に係るデータ記録媒体は、記録可能なエリアのほかに、プリプレスされたエリアを有するものであり、このプリプレスエリアにプリプレスされた文書作成用支援情報と、追記された媒体固有の媒体情報が含まれていることを特徴とするものである。
【００８９】
これによれば、文書作成用支援情報がプリプレスされているので、どのような誤操作によってもデータ記録媒体に記録されたこの文書作成用支援情報を失うことはない。そのため安全、確実に文書作成用支援情報を保護することができる。
【００９０】
これに加えて、文書作成用支援情報はデータ記録媒体にプリプレスされるものであるから、グルーブ溝を作成する工程と、同じ工程で文書作成用支援情報を記録できる。その結果、半製品のデータ記録媒体を製造するための工程を増やすことなく文書作成用支援情報を記録でき、製造工程増に基づくコストアップを将来することがなく、従来同様に安価な媒体を提供できる実益を有する。
【００９１】
また、この発明に係る文書記録方法および文書再生方法では、文書作成用支援情報が、文書作成用処理プログラムと文書作成時に使用されるテンプレート情報とで構成されるとき、その何れかがデータ記録媒体にプリプレスされているので、このプリプレスされた文書作成用支援情報と、Ｗｅｂサイトからダウンロードして得た残りの文書作成用支援情報を使用して文書を作成し、これを記録すると共に、再生できるようにしたものである。特に、媒体情報を作成文書の一部に挿入したり、この媒体情報を用いて作成文書を暗号化して記録できるようにしたものである。
【００９２】
これによれば、作成文書を不正にコピーされたとしても、暗号化の鍵情報である媒体情報が不知であるため、暗号文を復号することができなくなり、これによって作成文書のセキュリティーが万全になる。媒体情報を作成文書に挿入する場合には、この媒体情報を検索キーとして使用できるため、作成文書の検索が容易になるなどの実益を有する。
【００９３】
さらに、この発明に係る文書記録システムでは、データ記録媒体にプリプレスされた文書作成用支援情報と、管理用サーバ側に用意されている残りの文書作成用支援情報をダウンロードすることで、所定のテンプレート情報を利用して文書を作成できる。文書作成用支援情報の全てをデータ記録媒体側に記録しないでも済むので、それだけデータ記録媒体に記録すべき情報量を少なくでき、これによって記録エリアの記録容量を犠牲にすることなく文書作成を支援するシステムを構築できる。
【図面の簡単な説明】
【図１】この発明に係るデータ記録媒体の実施の形態を示す概念図である。
【図２】この発明に係るデータ記録媒体の記録エリアの断面図である。
【図３】この発明に係るデータ記録媒体のプリプレスエリアの断面図である。
【図４】この発明に係る媒体情報のフォーマットの一例を示す図である。
【図５】テンプレート情報の一例を示すフォーマットを示す図である。
【図６】この発明に係る情報サービスシステムの実施の形態を示す概念図である。
【図７】この発明に係る情報端末装置の実施の形態を示す要部の系統図である。
【図８】この発明に係る管理用サーバの実施の形態を示す要部の系統図である。
【図９】この発明に係る情報記録再生装置のうち情報記録部の実施の形態を示す要部の系統図である。
【図１０】この発明に係る情報記録再生装置のうち情報再生部の実施の形態を示す要部の系統図である。
【図１１】情報端末装置と管理用サーバとのデータ処理例を示すフローチャートである。
【図１２】文書作成用処理プログラムの送信処理例を示すフローチャートである。
【図１３】文書作成の処理例を示すフローチャートである。
【図１４】暗号化された文書の作成処理例を示すフローチャートである。
【図１５】作成文書の再生処理例を示すフローチャートである。
【図１６】データ記録媒体に媒体情報を記録するときの作成システムの実施の形態を示す系統図である。
【符号の説明】
１・・・記録エリア、２・・・プリプレスエリア、３・・・分離エリア、１２・・・情報端末装置、１０・・・光ディスク（データ記録媒体）、１４・・・通信回路網、１６・・・管理用サーバ、２２，３４・・・・送受信手段、２３・・・表示部、３２・・・・サービスコンテンツデータベース、３３・・・管理用データベース、４０・・・情報記録再生装置、４５，５９・・・・プリプレスエリアのデコーダ
【図１】
2004086953.tif 000003
【図２】
2004086953.tif 000004
【図３】
2004086953.tif 000005
【図４】
2004086953.tif 000006
【図５】
2004086953.tif 000007
【図６】
2004086953.tif 000008
【図７】
2004086953.tif 000009
【図８】
2004086953.tif 000010
【図９】
2004086953.tif 000011
【図１０】
2004086953.tif 000012
【図１１】
2004086953.tif 000013
【図１２】
2004086953.tif 000014
【図１３】
2004086953.tif 000015
【図１４】
2004086953.tif 000016
【図１５】
2004086953.tif 000017
【図１６】
2004086953.tif 000018